(57)【要約】【課題】上繰り分離方式の自動原稿搬送装置のサイズを小さくかつ使い勝手が良いものとすることができる排紙装置を提供する。【解決手段】第１の排紙トレイ１１からはみ出す長さの原稿のはみ出した部分は第２の排紙トレイ１２上にまで排出される。原稿排紙方向の先端側の第２の排紙トレイ１２は針金やパイプ材で先端がＵ字状にかつ排紙方向より下向きとなるように構成されている。原稿を原稿テーブル１上にセットする時、原稿の先端の位置を容易に確認でき、排紙トレイ１１、１２が原稿セットの邪魔にならない。また、第２の排紙トレイ１２を構成する部材が原稿の幅に関して原稿幅の中央付近のみに位置しているので、幅ガイド２を操作するときにも第２の排紙トレイ１２を構成する部材がオペレーターの操作の邪魔にならない。【選択図】図２
2014040318.tif 000002
【特許請求の範囲】
【請求項１】
原稿束の最上部の原稿を一枚ずつ分離搬送読取を行い、読み取った原稿を原稿読取部の上部に反転させて排紙する上繰り反転原稿読取装置で用いる排紙装置において、
排紙した原稿を積み重ねる排紙トレイを備え、該排紙トレイの少なくとも一部を、原稿の幅よりも狭い幅寸法の部位としたことを特徴とする排紙装置。
【請求項２】
請求項１の排紙装置において、
前記排紙トレイの前記幅の狭い部分は、該排紙トレイの下側の部分が見えるようにする開口部分を備えたものであることを特徴とする排紙装置。
【請求項３】
請求項２の排紙装置において、
前記開口部分を形成する部位を針金や金属又は樹脂の線材あるいはパイプ材で構成したことを特徴とする排紙装置。
【請求項４】
請求項１の排紙装置において、
前記排紙トレイの前記幅の狭い部分を板状の部材で構成したことを特徴とする排紙装置。
【請求項５】
請求項４の排紙装置において、
前記排紙トレイの前記幅の狭い部分は、該排紙トレイの下側の部分が見えるようにする開口部分を備えたものであることを特徴とする排紙装置。
【請求項６】
請求項１から５のいずれかに記載の排紙装置を用いたことを特徴とする画像形成装置。
【発明の詳細な説明】
【技術分野】
【０００１】
本発明は自動原稿搬送装置およびこれを用いた画像形成装置に関する。
【背景技術】
【０００２】
電子写真方式の画像形成装置に用いられる自動原稿搬送装置が知られている。例えば特許文献１に開示されている自動原稿搬送装置（Ａｕｔｏ  Ｄｏｃｕｍｅｎｔ  Ｆｅｅｄｅｒ：以下では単にＡＤＦと記載することがある）は、原稿をセットする原稿テーブルの最上部の紙から一枚ずつ、分離、搬送された原稿が、読取部を通過して、原稿分離部（並びに表面読取部）の上、すなわち原稿排紙トレイに排出する。
【０００３】
また、従来公知の排紙トレイで原稿分離部の上部カバーを兼ねているものでは、原稿テーブルと排紙トレイを左右（原稿面上で原稿搬送方向に直交する方向）に位置をずらす必要が有り、機器のサイズが大きくなってしまうという問題がある。原稿テーブルと排紙トレイの位置を重ねて配置すれば、マシンサイズは小さくする事が可能であるが、排紙トレイの真下に、原稿テーブルが位置する事になり、排紙トレイの影に原稿テーブルが隠れてしまい、セットする原稿が見えず、或いは、原稿幅ガイドを操作しにくいといった不具合が発生してしまうためである。
【発明の概要】
【発明が解決しようとする課題】
【０００４】
本発明は、積載された原稿の最も上の原稿から最初に繰り出す（分離する）、上繰り分離方式の自動原稿搬送装置において、機器の大きさを最小限にして、且つ、使い勝手の良い装着を提供する事を目的とする。
【課題を解決するための手段】
【０００５】
本発明に係る排紙装置は、原稿束の最上部の原稿を一枚ずつ分離搬送読取を行い、読み取った原稿を原稿読取部の上部に反転させて排紙する上繰り反転原稿読取装置で用いる排紙装置において、排紙した原稿を積み重ねる排紙トレイを備え、該排紙トレイの少なくとも一部を、原稿の幅よりも狭い幅寸法の部位としたことを特徴とする。
【発明の効果】
【０００６】
本発明によれば、上繰り分離方式の自動原稿搬送装置のサイズを小さくかつ使い勝手が良いものとすることができる排紙装置を提供する。
【図面の簡単な説明】
【０００７】
【図１】本発明の実施形態に係る画像読取装置のＡＤＦの断面図
【図２】同じく画像読取装置のＡＤＦの斜視図
【図３】本発明の実施形態における排紙トレイの形状について示す斜視図
【図４】本実施形態における排紙トレイの形状について示す図３とは異なる方向から見た斜視図
【図５】本発明の実施形態において採用が好ましくない形状について示す斜視図
【図６】本発明の実施形態において採用が好ましくない形状について示す斜視図
【図７】本発明の実施形態における排紙トレイの他の例を示す斜視図
【図８】本発明の実施形態における排紙トレイの他の実施形態を示す斜視図
【図９】ＡＤＦを備えた画像形成装置の概略構成を示す断面図
【発明を実施するための形態】
【０００８】
本発明の実施形態に係る自動原稿搬送装置（ＡＤＦ）では、原稿テーブル上の最上部の紙から一枚ずつ、分離、搬送された原稿が、読取部を通過反転して、再び、原稿テーブルの上面の原稿排紙トレイに排出される自動原稿搬送装置において、排紙トレイが原稿テーブルを覆い隠してしまわないようにするともに、機器自体のサイズを小さくする。例えば、ブックスキャナーの上にＡＤＦが搭載されているＭＦＰ（複合機）の機器サイズについて考えると、
（１）先ずブックスキャナーの幅は、コンタクトガラスにセットできる最大原稿サイズで決定される。
（２）ブックスキャナーの上に搭載されるＡＤＦがブックスキャナーで読み取りサイズの最小サイズよりも小さければ、理論的には最小限のＡＤＦ付ＭＦＰとし得る。
（３）最小サイズのＡＤＦを設計しようとすると、通常はＡＤＦに付属している原稿テーブルや排紙トレイを、何らかの形で重ね、原稿を反転させる構成とすることが一般的である。原稿を反転させないと、原稿テーブルと排紙トレイを並べた大きさのＡＤＦになってしまい、機器サイズが巨大化するためである。
（４）そこで本実施形態では、原稿テーブルと排紙トレイをマシン上面から見たときに、極力重なる部分が大きくなるようにレイアウトして、ＡＤＦの占有する面積が極力小さくなるようにしている。具体的には、原稿排紙トレイを針金や金属又は樹脂の線材（あるいはパイプ材）を用いて構成し、排紙トレイに原稿が排出されていないときは、原稿テーブルを視覚的に覆い隠さず、原稿セット時に邪魔にならないよう配慮している。要するに本発明の実施形態では、排紙トレイは存在するが、原稿テーブルに原稿をセットするときに視覚的に邪魔しないようにしているのである。
【０００９】
以下、図面を参照して本発明の実施形態を説明する。
まず図９により、ＡＤＦを備えた画像形成装置の概略構成を説明する。なお、本発明の実施対象とする画像形成装置は、図示のものには限定されず、複写機、ファクシミリ装置、複写機能とファクシミリ機能等を備えた複合機等の機能を有するもの等々、画像形成を行う種々の形態の装置が対象となる。
【００１０】
＜実施形態１＞
図９において、画像形成装置としての複写機１００は、原稿トレイ１１０ａに載置された原稿束から原稿を１枚分離して原稿読取部１２０上のコンタクトガラスに自動給紙する自動原稿搬送装置１１０と、自動原稿搬送装置１１０によってコンタクトガラス上に搬送された原稿を読取る原稿読取部１２０と、給紙部１３０から給紙されたシート材に対して、原稿読取部１２０によって読取った画像を形成する画像形成部（画像形成手段）１４０と、複数のシート材が積層されたシート束Ｓを有し、このシート束Ｓから最上位に位置するシート材Ｓ１を画像形成部１４０に給紙する給紙部１３０とを備えている。なお、本実施の形態では、画像形成部１４０と給紙部１３０とは分割可能となっているが、そうでない構成でも良い。
【００１１】
給紙部１３０は、複数枚のシート材Ｓ１を積載するシート積載部材としての給紙カセット１５０と、給紙カセット１５０上の複数枚のシート材Ｓ１から最上位に位置するシート材を分離して搬送するシート分離給紙装置１６０とを含んで構成してある。
【００１２】
シート分離給紙装置１６０によって分離給紙されたシート材Ｓ１は、搬送経路１７０上を搬送されるようになっており、搬送経路１７０上を搬送されるシート材Ｓ１は、搬送ローラ対１８０により搬送され、転写ローラ１９０によって画像形成部１４０で形成されたトナー画像が転写され、このトナー画像が定着器２００によって熱転写され、排紙ローラ対２１０により排紙トレイ２２０に排出する。
【００１３】
画像形成部１４０は、４つの作像部２３０（２３０Ｙ（イエロー）、２３０Ｃ（シアン）、２３０Ｍ（マゼンタ）、２３０ＢＫ（ブラック））と、転写ベルトである中間転写ベルト２４０と、露光装置２５０とから構成してある。
【００１４】
露光装置２５０は、パーソナルコンピュータ、ワードプロセッサ等から入力される色分解された画像データや、原稿読取部１２０によって読取られた原稿の画像データを光源駆動用の信号に変換し、それに従い各レーザ光源ユニット内の半導体レーザを駆動して光ビームを射出するようになっている。
【００１５】
作像部２３０Ｙ、２３０Ｃ、２３０Ｍ、２３０ＢＫは、それぞれ異なる色の画像（トナー像）を形成するようになっており、作像部２３０Ｙ、２３０Ｃ、２３０Ｍ、２３０ＢＫは、時計回転方向に回転駆動される像担持体である感光体２６０（２６０Ｙ、２６０Ｃ、２６０Ｍ、２６０ＢＫ）、感光体２６０の周囲に配置された帯電部２７０、現像部２８０、クリーニング部２９０等により構成されている。
【００１６】
感光体２６０は、円筒状に形成され、図示しない駆動源により回転駆動される。感光体２６０の外周面部には感光層が設けられており、露光装置２５０から射出された破線で示す光ビームが感光体２６０の外周面にスポット照射されることにより、感光体２６０の外周面には画像情報に応じた静電潜像が書き込まれる。
【００１７】
帯電部２７０は、感光体２６０の外周面を一様に帯電するもので、感光体２６０に対して接触方式のものが採用されている。現像部２８０は、感光体２６０にトナーの供給を行い、供給されたトナーが感光体２６０の外周面に書き込まれた静電潜像に付着することにより、感光体２６０上の静電潜像がトナー像として顕像化させるもので、感光体２６０に対して非接触方式のものが採用されている。
【００１８】
クリーニング部２９０は、感光体２６０の外周面に付着している残留トナーをクリーニングするもので、感光体２６０の外周面にブラシを接触させるブラシ接触方式のものが採用されている。
【００１９】
中間転写ベルト２４０は、樹脂フィルム、または、ゴムを基体として形成された無端状ベルトから構成されており、感光体２６０上に形成されたトナー像が転写され、この中間転写ベルト２４０に転写されたトナー像が転写ローラ１９０によってシート材Ｓ１に転写される。
【００２０】
図１は画像読取装置のＡＤＦの断面を示す図である。図中１は原稿テーブルで、この原稿テーブル１上に幅ガイド２で位置が矯正された原稿が、ピックアップローラ３でフィードローラ４と分離ローラ５で構成される、分離部に原稿を搬送し、分離部で最上部の１枚から順に第１の読取ローラ６により表面読取部７と裏面読取部８に搬送され、第２の読取ローラ９により、排紙ローラ１０に送られ、排紙方向の長さが短ければ第１の排紙トレイ１１の上に排出され、第１の排紙トレイ１１からはみ出す長さのものであれば、はみ出した部分は第２の排紙トレイ１２上にまで排出されて、原稿読取が終了するようになっている。すなわち本実施形態の排紙トレイは２つの部分に分けて構成してある。
【００２１】
図２は画像読取装置のＡＤＦの斜視図で、原稿テーブル１と、読み取った原稿が排紙される第１の排紙トレイ１１と第２の排紙トレイ１２との位置関係が分かるようにした図である。この図のように原稿テーブル１と読み取った原稿が排紙される第１、第２の排紙トレイ１１、１２は、大部分が上面から見ると重なっている。
【００２２】
本実施形態では、第２の排紙トレイ１２の部分がＵ字状に構成されているので、原稿を原稿テーブル１上にセットする時に、原稿の先端の位置を容易に確認でき、第１、第２の排紙トレイ１１、１２が原稿セットの邪魔にならない。また、第２の排紙トレイ１２を構成する部材が原稿の幅（図２の左上から右下方向の寸法）に関して、原稿幅の中央付近のみに位置しているので、幅ガイド２を操作するときにも第２の排紙トレイ１２を構成する部材がオペレーターの操作の邪魔にならない。
【００２３】
図３は本実施形態における第２の排紙トレイ１２の周囲の構成を示す図である。第２の排紙トレイ１２は、針金や金属又は樹脂の線材（あるいはパイプ材）を用いて構成してあり、排紙された原稿の先端が、図中矢印Ａで示す先端部位が排紙の方向から逃げる方向に曲がっている（図示の例では斜め上方へ向いた状態から水平に近づく方向へ曲がっている：以下、この部位を屈曲部Ａという。）ことが分かる。
【００２４】
図４は本実施形態における排紙トレイの形状について示す図３とは異なる方向から見た斜視図である。この図では排紙された原稿Ｐの先端が、第２の排紙トレイ１２を構成する部材の屈曲部Ａの先端にどのように接するか分かりやすく示してあり、排紙された原稿Ｐは屈曲部Ａの先に単純に乗った状態である。
【００２５】
図５は、本発明の実施形態において採用が好ましくない形状について説明する図ある。第２の排紙トレイ１２は、屈曲部Ａで排紙に対する抵抗をなすように上方へ曲がっており、排紙された原稿Ｐの先端が上方へ向かってしまうことが分かる。
【００２６】
図６も、本発明の実施形態において採用が好ましくない形状について説明する図ある。この例でも第２の排紙トレイ１２の屈曲部Ａが排紙に対する抵抗をなすように上方へ曲がっており、排紙された原稿Ｐの先端が上方へ向かってしまうことが分かる。
【００２７】
図５、図６の例はいずれも原稿Ｐの先端が屈曲部Ａに引っかかりやすく、原稿Ｐにダメージが生じことが有り得る点が好ましくない。
【００２８】
なお、図１、図３〜図６において、第１の排紙トレイ１１は内部を描くために透明にしているが、前記の各図では単に説明のために透明にしただけであって、本発明で第１の排紙トレイ１１が透明なものである必要はない。
【００２９】
＜実施形態２＞
図７は、本発明の実施形態２における排紙トレイを示す斜視図である。図７における第２の排紙トレイ１２ａは、先の実施形態とは異なり、針金等を用いず、第１の排紙トレイ１１の１／３程度の幅の板状部材で、第１の排紙トレイ１１の幅方向中央部に配置されている。機能的には先の実施形態とほぼ同様である。
【００３０】
＜実施形態３＞
この実施形態は第２の排紙トレイ１２ｂを構成する部材の中央に覗き窓状の開口１２ｃを開けたもので、針金等を使用せずに実施形態１に近い構成としたものである。機能的には先の実施形態とほぼ同様である。
【００３１】
また本発明は以上説明した実施形態に限定されるものではなく、多くの変形が本発明の技術的思想内で当分野において通常の知識を有する者により可能である。
【符号の説明】
【００３２】
１        ：原稿テーブル
２        ：幅ガイド
３        ：ピックアップローラ
４        ：フィードローラ
５        ：分離ローラ
６        ：第１の読取ローラ
７        ：表面読取部
８        ：裏面読取部
９        ：第２の読取ローラ
１０      ：排紙ローラ
１１      ：第１の排紙トレイ
１２、１２ａ、１２ｂ    ：第２の排紙トレイ
１２ｃ    ：第２の排紙トレイの開口
１００    ：複写機
１１０    ：自動原稿搬送装置
Ａ        ：屈曲部
Ｐ        ：原稿
Ｓ、Ｓ１      ：シート材
【先行技術文献】
【特許文献】
【００３３】
【特許文献１】特開２０１１−８６９８８号公報
【特許文献２】特開平９−２４７３１３号公報
【図１】
2014040318.tif 000003
【図２】
2014040318.tif 000004
【図３】
2014040318.tif 000005
【図４】
2014040318.tif 000006
【図５】
2014040318.tif 000007
【図６】
2014040318.tif 000008
【図７】
2014040318.tif 000009
【図８】
2014040318.tif 000010
【図９】
2014040318.tif 000011